(57)【特許請求の範囲】
【請求項１】
ヘテロジニアスネットワークにおけるマクロ基地局のための装置であって：
回路；
エンハンストページングメッセージを送信するように前記回路により実行されるマクロ基地局ページャであって、前記エンハンストページングメッセージは、前記エンハンストページングメッセージがスモールセル基地局を介して回答されてよい旨の通知を含む、マクロ基地局ページャ；
前記スモールセル基地局にコンフィギュレーション情報を送信するように前記回路により実行されるスモールセル基地局コンフィギュレータであって、前記コンフィギュレーション情報は、モバイルデバイスとのリレーコネクションを設定するためにビーコンを送信することを、前記スモールセル基地局に行わせる、スモールセル基地局コンフィギュレータ；及び
前記リレーコネクションに関するスモールセル基地局と信号を通信するために前記スモールセル基地局とのバックホールコネクションを設定するように前記回路により実行されるマクロ基地局バックホール部；
を有する装置。
【請求項２】
前記エンハンストページングメッセージは前記モバイルデバイスに宛てられており、前記装置は、前記エンハンストページングメッセージに対する前記モバイルデバイスの応答を、前記スモールセル基地局から受信するように、前記回路により実行されるページング応答受信部を更に有する請求項1に記載の装置。
【請求項３】
前記モバイルデバイスが前記スモールセル基地局とのコネクションを設定した旨の通知を前記スモールセル基地局から受信するように前記回路により実行されるコネクション識別部を更に有し、前記マクロ基地局ページャは、前記モバイルデバイスが前記スモールセル基地局とのコネクションを設定した旨の受信した通知に少なくとも部分的に基づいて、前記エンハンストページングメッセージの送信を停止する、請求項2に記載の装置。
【請求項４】
前記マクロ基地局バックホール部は、前記スモールセル基地局と前記マクロ基地局との間のコンテキスト情報を設定し、前記コンテキスト情報は、
(i)セットアップベアラの通知、
(ii)マクロ基地局により応対される移動局の通知、
(iii)スモールセル基地局により応対される移動局の通知、
(iv)スモールセル基地局により使用される時間、周波数又は電力のドメインのリソースの通知、及び
(v)セットアップベアラとともに提供されるサービスの最低限又は平均の品質の通知より成る群から選択される1つ以上の通知を含む、請求項1に記載の装置。
【請求項５】
エンハンストページングメッセージは、
(a)前記マクロ基地局が、前記スモールセル基地局を介するレスポンスに対処するために、より長い応答時間を受け入れる旨の通知；
(b)スモールセル基地局が、ビーコンをブロードキャストし、モバイルデバイスとのコネクションの設定をサポートする旨の通知；
(c)モバイルデバイスからの信号が検出される周波数バンドの通知；或いは
(d)ビーコン信号が送信される周波数バンドの通知；
のうちの少なくとも1つを含む請求項1ないし4のうちの何れか1項に記載の装置。
【請求項６】
前記マクロ基地局は、ハードワイヤリンクを利用して前記スモールセル基地局に通信可能に結合され、前記スモールセル基地局コンフィギュレータは、前記ハードワイヤリンクを利用して前記スモールセル基地局に前記コンフィギュレーション情報を送信するように前記ハードワイヤリンクにおいて動作する、請求項1ないし4のうちの何れか1項に記載の装置。
【請求項７】
ヘテロジニアスネットワークにおけるモバイルデバイスのための装置であって：
回路；
エンハンストページングメッセージを受信するように前記回路により実行可能なエンハンストページングメッセージ受信部であって、前記エンハンストページングメッセージは、前記エンハンストページングメッセージがスモールセル基地局を介して回答されてよい旨の通知を含む、エンハンストページングメッセージ受信部；
ビーコン信号を受信するために前記モバイルデバイスを構成するように前記回路により実行可能なビーコン受信部；及び
前記エンハンストページングメッセージの受信に応じて前記スモールセル基地局との接続を設定するように前記回路により実行可能なスモールセル基地局；
を有する装置。
【請求項８】
前記ビーコン受信部は、前記エンハンストページングメッセージのタイミングに少なくとも部分的に基づいて、前記ビーコン信号を受信するように前記モバイルデバイスを構成する、請求項７に記載の装置。
【請求項９】
前記エンハンストページングメッセージは、前記スモールセル基地局がビーコン信号を送信するタイミングの通知を含み、前記ビーコン信号を受信するように前記モバイルデバイスを構成する前記ビーコン受信部は、前記スモールセル基地局がビーコン信号を送信するタイミングの通知に少なくとも部分的に基づいている、請求項８に記載の装置。
【請求項１０】
前記エンハンストページングメッセージは、前記ビーコン信号が送信される周波数の通知を含み、前記ビーコン受信部は、通知される周波数を利用して前記ビーコン信号を受信するように前記モバイルデバイスを構成する、請求項７ないし９のうち何れか1項に記載の装置。
【請求項１１】
前記モバイルデバイスは第1のモバイルデバイスであり、前記エンハンストページングメッセージは、第2のモバイルデバイス及び前記スモールセル基地局の双方又は一方に宛てられている、請求項７ないし９のうち何れか1項に記載の装置。
【請求項１２】
リレーコネクションを利用して、前記エンハンストページングメッセージに対する応答をマクロ基地局に送信するように、前記回路により実行可能なエンハンストページングメッセージ応答部を更に有し、前記リレーコネクションは前記スモールセル基地局を介して前記マクロ基地局に前記モバイルデバイスを接続する、請求項７ないし９のうち何れか1項に記載の装置。
【請求項１３】
ヘテロジニアスネットワークにおけるモバイルデバイスのコンピュータに方法を実行させるコンピュータプログラムであって、前記方法は：
エンハンストページングメッセージの通知を受信するステップであって、前記エンハンストページングメッセージは、前記エンハンストページングメッセージがスモールセル基地局を介して回答されてよい旨の通知を含む、ステップ；
ビーコン信号を受信するように前記モバイルデバイスを構成するステップ；
前記エンハンストページングメッセージの通知の受信に応じて前記スモールセル基地局との接続を設定するステップ；
を含む、コンピュータプログラム。
【請求項１４】
前記ビーコン信号を受信するように前記モバイルデバイスを構成することは、前記エンハンストページングメッセージのタイミングに少なくとも部分的に基づいている、請求項１３に記載のコンピュータプログラム。
【請求項１５】
前記エンハンストページングメッセージは、前記スモールセル基地局がビーコン信号を送信するタイミングの通知を含み、前記ビーコン信号を受信するように前記モバイルデバイスを構成することは、前記スモールセル基地局がビーコン信号を送信するタイミングの通知に少なくとも部分的に基づいている、請求項１４に記載のコンピュータプログラム。
【請求項１６】
前記モバイルデバイスは第1のモバイルデバイスであり、前記エンハンストページングメッセージは、第2のモバイルデバイス及び前記スモールセル基地局の双方又は一方に宛てられている、請求項１３ないし１５のうち何れか1項に記載のコンピュータプログラム。
【請求項１７】
前記方法は、リレーコネクションを利用して、前記エンハンストページングメッセージに対する応答をマクロ基地局に送信するステップを更に有し、前記リレーコネクションは前記スモールセル基地局を介して前記マクロ基地局に前記モバイルデバイスを接続する、請求項１３ないし１５のうち何れか1項に記載のコンピュータプログラム。
【請求項１８】
請求項１３ないし１７のうち何れか1項に記載のコンピュータプログラムを保存する記憶媒体。
【発明の詳細な説明】
【技術分野】
【０００１】
本願で説明される実施形態は一般にヘテロジニアスネットワークに関連し、特に、モバイルデバイスをページングすること、及び、ヘテロジニアスネットワークにおいてモバイルデバイスとスモールセル基地局との間にコネクションを設定することに関連する。
【背景技術】
【０００２】
最近のワイヤレスシステム(例えば、移動通信及び/又はブロードバンドシステム)は、スペクトル効率及びデータレートを改善するために、複数の無線アクセス技術を利用するヘテロジニアスネットワークとして配備さている。一般に、ヘテロジニアスネットワーク(HetNet)は、複数の通信技術、規格、又は、通信の仕様を利用するヘテロジニアスコンポーネントによるシステムである。
【０００３】
HetNetの一例は、マクロ基地局(BS)とメインネットワーク(例えば、モバイルブロードバンドネットワーク)へのアクセスを提供するスモールセルBSとの混合である。HetNetの各BSは、異なる周波数で動作してもよく、及び/又は、モバイルデバイスとともにメインネットワークにアクセスするユーザに均一な体感を提供する様々な無線技術を利用している。しばしばマクロBSは大規模なカバレッジ領域(例えば、200メートルないし数キロメートル)を提供する一方、スモールセルBSは、より小さなカバレッジ領域(例えば、10ないし200メートル)を提供する。マクロBSのカバレッジ領域は、(例えば、マクロBSのカバレッジ領域を補助するために)複数のスモールセルBSで高密度に占められていてもよい。
【０００４】
モバイルデバイスは、マクロBSを介してメインネットワークに接続する。スモールセルBSは、モバイルデバイスとマクロBSとの間で中継機能を提供し、マクロBSのカバレッジ領域に対するターゲットの増築及び追加される容量を提供する。従って、モバイルデバイスは、スモールセルBSを、マクロBSとの間のリレー(又は中継局)として利用してよい。スモールBSをリレーとして利用するために、リレーは、モバイルデバイスによって発見可能でなければならない。ディスカバリを行うため、各スモールセルBSはビーコン信号を送信し、各モバイルデバイスはビーコン信号を監視する(又はその逆もあり得る)。このようにして、モバイルデバイスはHetNet内のスモールセルBSを発見してもよい。しかしながら、ビーコンを送信すること、及び、ビーコンを傾聴することは、多くの電力消費を要する。理解されるように、スモールセルBS及びモバイルデバイスは、継続的に、ビーコンを送信し及び/又はビーコンを監視するかもしれない。従って、HetNetにおいてモバイルデバイスがスモールセルBSとの通信を設定するエネルギ効率を改善する必要がある。
【図面の簡単な説明】
【０００５】
【図１】一実施形態によるHetNetの具体例を示す。
【図２】一実施形態によるHetNetで実施されるページング及びコネクション技術を示す。
【図３】一実施形態による例示的なマクロBSを示す。
【図４】一実施形態による例示的なスモールセルBSを示す。
【図５】一実施形態による例示的なモバイルデバイスを示す。
【図６】一実施形態によるマクロBSの例示的な論理フローを示す。
【図７】一実施形態によるスモールセルBSの例示的な論理フローを示す。
【図８】一実施形態によるモバイルデバイスの例示的な論理フローを示す。
【図９】一実施形態によるモバイルデバイスの例示的な論理フローを示す。
【図１０】ストレージ媒体の一形態を示す。
【図１１】一実施形態によるデバイスを示す。
【発明を実施するための形態】
【０００６】
実施例は、一般に、ヘテロジニアスネットワーク(HetNet)においてモバイルデバイスをページングし、HetNetにおいてモバイルデバイスとスモールセル基地局(BS)との間にコネクションを設定する装置及び方法に関連する。これらの装置及び方法は、様々なワイヤレスネットワーク標準規格に従ってHetNetのコンポーネント(例えば、マクロBS、スモールセルBS、モバイルデバイス等)とともに包含されてもよいし或いはそのコンポーネントにより実現されてもよい。
【０００７】
一実施例によれば、HetNet及び/又はHetNetの個々のコンポーネントが提供され、HetNet及び/又はそのコンポーネントは、モバイルデバイスをページングし(又は呼び出し)、そのページングに基づいてモバイルデバイスとスモールセルBSとの間でビーコン信号を送信及び受信するように構成される。例えば、マクロBSは、エンハンストページングメッセージ(enhanced  paging  message)をモバイルデバイスに送信する。スモールセルBSは、エンハンストページングメッセージの送信に基づくビーコン信号を送信するタイミングで、ビーコン信号を送信する。モバイルデバイスは、エンハンストページングメッセージの送信に基づくビーコン信号を受信するためのタイミングで、ビーコン信号を受信し、スモールセルBSとの直接的な接続を開始する(例えば、スモールセルBSとのコネクションを設定することにより、エンハンストページングメッセージに応答する)。他の実施例も提供され、実施例は上記の例に限定されない。
【０００８】
図1は例示的なHetNet1000を示すブロック図である。一実施例では、図1に示されるように、NetNet1000は、マクロBS100、スモールセルBS200-1、200-2及びモバイルデバイス300-1、300-2を含む。重要なことに、HetNet100における(例えば、マクロBS100、スモールセルBS200-1、200-2、及び、モバイルデバイス300-1、300-2等のような)コンポーネントの数は、理解を促すための台数で示されている点に留意を要する。コンポーネントの数は異なってよく、実際には図示されているものよりかなり多いことが、認められるべきである。
【０００９】
一実施例において、マクロBS100、スモールセルBS200-1、200-2及び/又はモバイルデバイス300-1、300-2は、無線通信及び/又はブロードバンドシステムのコンポーネントであってよく、無線通信及び/又はブロードバンドシステムは、例えば、1つ以上の無線通信規格に従って動作する複数の無線アクセス技術の(マルチRAT)システムである。無線技術により通信するために、マクロBS100、スモールセルBS200-1ないし200-2及びモバイルデバイス300-1ないし300-2の各々は、1つ以上のアンテナを含む。例えば、マクロBS100はアンテナ110を含むように示されている。スモールセルBS200-1は第1アンテナ210及び第2アンテナ212を有するように示されている。スモールセルBS200-2は第1アンテナ214及び第2アンテナ216を有するように示されている。モバイルデバイス300-1は第1アンテナ310及び第2アンテナ212を有するように示されている。モバイルデバイス300-2は第1アンテナ314及び第2アンテナ216を有するように示されている。参照されるアンテナの各々は1つ以上のアンテナに対応してよいことに留意を要する。或いはそれとは異なり、参照されるアンテナの各々はアンテナアレイであってもよい(例えば、複数入力及び/又は複数出力の構成で動作してもよい)。更に、図1には示されていないが、スモールセルBS200-1、200-2のうちの1つ以上、或いは、モバイルデバイス300-1、300-2のうちの1つ以上は、単独のアンテナしか有していなくてもよい。実施例は上記のものに限定されない。
【００１０】
一般に、マクロBS100は、(例えば、セルラネットワーク、ブロードバンドネットワーク等のような)ネットワークに対するモバイルアクセスを提供するように構成される任意の様々なタイプのデバイスであってよい。より具体的には、マクロBS100はモバイルデバイス300に対するネットワークアクセスを提供する。一実施例において、マクロBS100は、任意の多種多様な無線アクセス技術及び/又は標準規格に従って、ネットワークアクセスを提供する。マクロBS100は、モバイルデバイス300-1、300-2のうちの1つ以上にエンハンストページングメッセージ20を送信する回路120を含む。例えば、この図は、マクロBS100がエンハンストページングメッセージ20をモバイルデバイス300-1に送信することを示す。ページングメッセージを送信するための様々な技術が知られていることが、認められるべきである。一般に、エンハンストページングメッセージ20は、これら既存の技術のうちの何れかに従って送信されてよい。ただし、エンハンストページングメッセージ20は、ページングメッセージが何れかのスモールセルBS200-1、200-2を介して回答されてよい旨の通知(又は指示)も含んでいる。それとは異なり、モバイルデバイス300-1は、何れかのスモールセルBS200-1、200-1との通信を開始することにより、エンハンストページングメッセージ20に応答してもよい。更に、エンハンストページングメッセージ20は、スモールセルBS200-1、200-2により送信されるビーコン送信のためのタイミング情報(以下において詳細に説明される)を含んでよい。
【００１１】
具体例として、エンハンストページングメッセージ20は、(a)マクロBS100が、何れかのスモールセルBS200-1、200-2を介するレスポンスに対処するために、より長い応答時間を受け入れる旨の通知；(b)スモールセルBS200-1、200-2が、(例えば、ビーコン30-1、30-2のような)ビーコンをブロードキャストし、モバイルデバイス300-1とのコネクションの設定をサポートする旨の通知；(c)；信号がモバイルデバイス300-1により送信されることになる周波数バンドの通知；(d)モバイルデバイス300-1からの信号が検出されることになる周波数バンドの通知；(e)(例えば、ビーコン30-1、30-2のような)ビーコンが送信されることになる周波数バンドの通知；あるいは(f)(例えば、ビーコン30-1、30-2のような)ビーコンが検出されることになる周波数バンドの通知を含んでよい。
【００１２】
マクロBS100は、スモールセルBS200-1、200-2にコンフィギュレーション情報を送信する回路120も含み、コンフィギュレーション情報は、(以下において詳細に説明されるビーコン30-1又は30-2等のような)ビーコンを送信することをスモールセルBS200-1、200-2に行わせる。一実施例において、コンフィギュレーション情報60は、(例えば、上述したように)無線により送信されてよい。一実施例において、コンフィギュレーション情報60は、(例えば、非無線コネクション等のような)ハードワイヤリンクを通じて送信されてもよい。
【００１３】
追加的に、マクロBS100は、1つ以上のスモールセルBS200とのバックホールコネクションを設定する回路120も含んでよい。バックホールコネクションを設定するための技術は既知であることが認められる。様々な実施形態は、これらのバックホール接続技術のうちの何れかを実施してよい。例えば、この図は、スモールセルBS200-1に対して設定されるバックホールコネクション10-1と、スモールセルBS200-2に対して設定されるバックホールコネクション10-2とを示す。
【００１４】
一例として、マクロBS100は、何れかのスモールセルBSからコネクション設定メッセージを受信する回路120も含み、コネクション設定メッセージは、ページングされたモバイルデバイスが、スモールセルBSに接続されたこと、或いは、スモールセルBSに対するコネクション設定を開始したことを示す。これに応じて、マクロBS100はモバイルデバイスをページングすることを止めてもよい。
【００１５】
スモールセルBS200-1、200-2は或る任意の多種多様なデバイスであってもよく、そのデバイスは、任意の多種多様な無線アクセス技術及び/又は規格に従って、マクロBS100のカバレッジエリアを拡張し、マクロBS100の増築容量を増やし、及び/又は、マクロBS100のカバレッジエリア内で(例えば、ミリ波技術などを利用して)ターゲットのアクセスを提供するように構成される。スモールセルBS200-1、200-2は、しばしば、マイクロセル、ピコセル、フェムトセル等と言及されてよい。各々のスモールセルBS200-1、200-2は回路220-1、220-2を含む。例えば、スモールセルBS200-1及び/又は200-2は、HetNetにおけるモバイルデバイス(例えば、モバイルデバイス300-1、300-2)のために意図されたエンハンストページングメッセージを受信し、かつ、エンハンストページングメッセージに基づいてビーコンを送信するためのタイミングで(例えば、ビーコン301-のような)ビーコンを送信する回路(例えば、220-1又は220-2)を含んでよい。一実施例において、スモールセルBS200-1、200-2は、マクロBS100からコンフィギュレーション情報60を受信し、かつ、コンフィギュレーション情報に基づいてビーコン(例えば、30-1、30-2等)を送信する回路220-1、220-2を含んでもよい。
【００１６】
一例として、エンハンストページングメッセージがマクロBS100により送信された後又はスモールセルBS200-1、200-2により受信された後、スモールセルBS200-1、200-2は指定された期間にわたってビーコンを送信してよい。一例として、スモールセルBS200-1、200-2は、エンハンストページングメッセージが送信された後、選択された期間にわたって或いはコンフィギュレーション情報60で示されるように、ビーコンを送信してもよい。一実施例では、スモールセルBS200-1、200-2はビーコンを複数回送信してよい(例えば、予め指定された期間内で送信されてもよいし、エンハンストページングメッセージに基づくタイミングで送信されてもよい)。
【００１７】
更に、スモールセルBS200-1、200-2は回路220-1、220-2を含み、回路220-1、220-2は、モバイルデバイスから(例えば、コネクションリクエスト40-1、40-2のような)コネクションリクエストを受信し；マクロBSとのバックホールコネクション(例えば、バックホールコネクション10-1、10-2)を設定し；モバイルデバイス300-1、300-2とのリレーコネクション(例えば、リレーコネクション50-1、50-2)を設定し、スモールセルBS200-1、200-2を介してモバイルデバイス300-1、300-2がマクロBS100と通信できるようにする。コネクションリクエストを受信すること、バックホールコネクションを設定すること、及び、リレーコネクションを設定することに対する様々な技術は既知であることが、認められるべきである。ここで説明される実施例はそれらの技術のうち任意のものを実現してよい。実施例は上記の例に限定されない。
【００１８】
一実施例において、スモールセルBS200-1、200-2は、マクロBS100にコネクション設定メッセージを送信する回路220-1、220-2を含み、マクロBS100に、モバイルデバイスをページングすることを止めさせる。例えば、この図は、スモールセルBS200-1がコネクション設定メッセージ70をマクロBS100に送信している様子を示す。
【００１９】
モバイルデバイス300-1、300-2は、HetNet1000で利用可能なサービスにアクセスする任意の様々なデバイスであってよい。例えば、モバイルデバイス300-1、300-2は、セルラ電話機、スマートフォン、タブレットコンピュータ、ラップトップコンピュータ、モバイルアクセスポイント、及び/又は、モバイルホットスポット等であってもよい。更に、モバイルデバイス300-1、300-2は、「移動可能」であるように解釈されなくてもよいが、HetNet1000にアクセスするように解釈されよいデバイス(例えば、マクロBS100を介してネットワークにアクセスするもの)を含んでもよい。例えば、モバイルデバイス300-1、300-2は、デスクトップコンピュータ、サーバー、アクセスポイント、ネットワーク内のノード等を含んでもよい。具体例は上記の例に限定されない。更に、モバイルデバイス300-1及びモバイルデバイス300-2は、異なるタイプのデバイスであってもよいことに留意を要する(例えば、一方がスマートフォンであり、他方がタブレットコンピュータであってもよく、可能性のある他の任意の組み合わせであってもよい。)。また、HetNetに精通している者は、モバイルデバイス300-1、300-2をモバイルデバイス(UE)として言及するかもしれないことに、留意すべきである。
【００２０】
モバイルデバイス300-1、300-2は回路320-1、320-2を含み、その回路は、エンハンストページングメッセージ(例えば、エンハンストページングメッセージ20)を受信し、ビーコン(例えば、ビーコン30-1、30-2)を受信し、スモールセルBSとのリレーコネクション(例えば、リレーコネクション50-1、50-2)を設定する。一例として、モバイルデバイス300-1、300-2は、エンハンストページングメッセージ20に基づいてビーコンを受信するためのタイミングでビーコン(例えば、ビーコン30-1、30-2)を受信する。それとは異なり、モバイルデバイス300-1、300-2は、エンハンストページングメッセージ20で指定されたタイミング情報に基づいて、及び/又は、エンハンストページングメッセージ20が送信された時間に基づいて、指定された時間インターバル(又は複数のインターバル)で、ビーコンの送信を監視する回路320-1、320-2を含んでもよい。
【００２１】
一例として、モバイルデバイス300-1、300-2は、HetNet1000における他のモバイルデバイス宛のエンハンストページングメッセージに基づいてビーコンを受信してもよい。認められるように、一例では、モバイルデバイスはマクロBSにおいてアイドルであってもよい(「キャンプしている」と言及されてもよい)。(上記のようなマクロBSによりページングされる場合とは異なり)モバイルデバイスから開始される通信の場合、モバイルデバイスは、マクロBSと連絡をとることを開始し、その後にスモールセルBSと連絡をとる必要がある。しかしながら、一実施例では、モバイルデバイスは、他のモバイルデバイス宛のページングメッセージを受信し、スモールセルBSからビーコンを受信するためのタイミング情報を判別し、スモールセルBSとのコンタクトを開始し、スモールセルBSを介するマクロBSとの通信経路を確立してもよい。例えば、モバイルデバイス300-2は、エンハンストページングメッセージ20を受信し、ビーコン信号を送信するためのタイミング情報に基づいて、スモールセルBS200-2から送信されるビーコン30-2を受信してもよい。その後、モバイルデバイス300-2とスモールセルBS200-2との間にリレーコネクション50-2が上述したように設定される。
【００２２】
上述したように、エンハンストページングメッセージ20は、そのページングが、スモールセルBSとのコンタクトを開始することによって回答されてもよい旨の通知を含んでもよい。従って、エンハンストページングメッセージ20を受信したことに応答して、モバイルデバイス300-1は(例えば、コネクションリクエストをスモールセルBSに送信することによって)何れかのスモールセルBSとのコンタクトを開始するかもしれない。
【００２３】
図２は、HetNetにおけるコンポーネントの論理部及び/又は機能部により実現されるページング及びコネクション方法1100である。例えば、(例えば、マクロBS100のような)マクロBS、(例えば、スモールセルBS200-1、200-2のような)スモールセルBS、及び、(例えば、モバイルデバイス300-1、300-2のような)モバイルデバイスに配置される又はその中にある論理部及び/又は機能部は、方法1100を実現する。図2(及び本願で説明される他の図)では、変数「a」を指示子として使用する。本願で使用されるように、変数「a」は、任意の正の整数を表現する変数であるように意図される。従って、一例として、スモールセルBS200-aは、スモールセルBS200-1、200-2の何れかに対応してよい。
【００２４】
方法1100は、t0ないしt1の時間インターバルとともに示されている。時間スケールは例示の目的で示されており、方法1100で説明されるイベント間の実際の時間の長さ、或いは、表現される時間の実際の長を示すようには意図されていない点に留意を要する。時間のスケールは、例示の目的で示されているに過ぎず、イベント間の何らかの時間の長さ及び期間の長さは、実施形態に応じて適宜設定されてよい。
【００２５】
方法1100は、マクロBS100からモバイルデバイス300-aへエンハンストページングメッセージ20を送信することを含んでよい。例えば、エンハンストページングメッセージ20はマクロBS100からモバイルデバイス300-1に送信される。成就したように、HetNet1000内の任意のエンティティは、エンハンストページングメッセージを受信するかもしれない。例えば、スモールセルBS200-1、200-2、及び/又はモバイルデバイス300-1、300-2の任意の組み合わせが、エンハンストページングメッセージ20を受信してよい。例えば、ページング方法1100は、モバイルデバイス300-aとスモールセルBS200-aがエンハンストページングメッセージ20を受信している様子を示す。
【００２６】
一実施例において、マクロBS100は、HetNet1000において1つ以上のスモールセルBS200-1、200-2へ、コンフィギュレーション情報を追加的に送信してよい。例えば、図1は、(ビーコン30-2を送信することを、スモールセルBS200-2に行わせるために)マクロBS100がコンフィギュレーション情報60をスモールセルBS200-2へ送信する様子を示す。
【００２７】
そして、スモールセルBS200-aは、エンハンストページングメッセージ20又はコンフィギュレーション情報60の双方又は一方に基づいて、ビーコンを送信するためのタイミングでビーコン30-aを送信してよい。同様に、(例えば、モバイルデバイス300-1、300-2のような)モバイルデバイスは、エンハンストページングメッセージ20に基づいて(例えば、ビーコン30-1、30-2のような)ビーコンを受信するためのタイミングでビーコンを受信してよい。
【００２８】
モバイルデバイス300-aは、ビーコン30-aの受信に基づいてスモールセルBS200-aとのコネクションを開始してよい。より具体的には、モバイルデバイス300-aは、スモールセルBS200-aとのコンタクトを開始することによって、エンハンストページングメッセージ20に応答し、それは、コネクションリクエスト40-aをスモールセルBS200-aに送信することを含む。それとは別に、エンハンストページングメッセージ20の受信は、スモールセルBS200-aとのコネクションを設定するために、ビーコン30-aを監視することを、モバイルデバイス300-aに行わせてもよい。例えば、図1では、モバイルデバイス300-1及び300-2は、それぞれコネクションリクエスト40-1及び40-2をスモールセルBS200-1及び200-2に送信するように図示されている。一実施例において、スモールセルBS200-aは、コネクション設定メッセージ70を送信し、マクロBS100がモバイルデバイス300-aをページングすることを止めさせる。
【００２９】
そして、スモールセルBS200-a及びモバイルデバイス300-aは、リレーコネクション50-aを設定する。追加的に、スモールセルBS200-aは、マクロBS100とのバックホールコネクション10-aを設定してもよい。一般に、リレーコネクション50-aは、スモールセルBS200-aを介してモバイルデバイス300-aをマクロBS100に接続する。バックホールコネクション10-aは、リレーコネクション50-aに関連するスモールセルBSとの後続の信号のやり取りをもたらす。
【００３０】
このように、モバイルデバイスをページングし、モバイルデバイスとスモールセルBSとの間のコネクションを設定する方法が説明されている。特に、本方法は、(例えば、低電力で、帯域幅の混雑を緩和すること等により)効率的に、モバイルデバイスをページングし、モバイルデバイスとスモールセルBSとの間のコネクションを設定することをもたらす。
【００３１】
図3、図4及び図5は、それぞれマクロBS、スモールセルBS及びモバイルデバイスのブロック図である。所定のトポロジ又は構成における限られた数の要素がこれらの図に示されているが、代替的な構成においてより多い又は少ない要素が必要に応じて実現されてよいことが認められるであろう。マクロBS、スモールセルBS及びモバイルデバイスは、ここで言及されるような1つ以上の無線アクセス技術及び/又は規格に従って動作することが可能なHetNetのコンポーネントとして実現されてよい。各図はHetNet1000に関連して説明されているが、実施例はその例に限定されないことに留意を要する。一般に、各々の図面は、1つ以上のコンポーネントを実行するように構成される回路を有するコンピュータ及び/又はファームウェア実装装置を示す。回路は市販の任意のプロセッサであるとすることが可能であり、例えば、AMD(登録商標)Athlon(登録商標)、Duron(登録商標)及びOpteron(登録商標)プロセッサ；ARM(登録商標)アプリケーション内蔵セキュアプロセッサ；IMB(登録商標)及びMotorola(登録商標)DragonBall(登録商標)及びPowerPC(登録商標)プロセッサ；IBM及びSony(登録商標)セルプロセッサ；Qualcom(登録商標)Snapdragon(登録商標)；Intel(登録商標)Celeron(登録商標)、Core(2)Duo(登録商標)、Corei3、Corei5、Corei7、Itanium(登録商標)、Pentium(登録商標)、Xerox(登録商標)、Atom(登録商標)及びXScale(登録商標)；及び同様なプロセッサを含んでよいが、これらに限定されない。デュアルマイクロプロセッサ、マルチコアプロセッサ及び他のマルチプロセッサアーキテクチャも回路として使用されてよい。一実施例によれば、回路は特定用途向け集積回路(ASIC)であってもよく、コンポーネントはASICのハードウェア要素として実現されてもよい。
【００３２】
図3をより具体的に参照すると、マクロBS100は、1つ以上のコンポーネント122-aを実行するように構成される回路120を有するコンピュータ及び/又はファームウェア実装装置を含むように示されている。
【００３３】
一実施例によれば、マクロBS100は、エンハンストページングメッセージを送信することを回路120により実行するためのマクロ基地局ページャ122-1を含み、エンハンストページングメッセージは、ページングメッセージがスモールセルBSを介して回答されてよい旨の指示を含む。例えば、マクロBSページャ122-1は、ページングメッセージ20をモバイルデバイス300-1に送信してよい。
【００３４】
一実施例において、マクロBS100は、スモールセルBSにコンフィギュレーション情報を送信するために回路120により実行されるスモールセルBSコンフィギュレータを含み、コンフィギュレーション情報は、モバイルデバイスにビーコンを送信することを、スモールセルBSに行わせ、少なくともビーコンに基づいて、スモールセルBSを介してモバイルデバイスをマクロBSに接続するために、スモールセルBSとのリレーコネクションを設定する。例えば、スモールセルBSコンフィギュレータ122-2は、コンフィギュレーション情報60をスモールセルBS200-2に送信する。
【００３５】
一実施例において、マクロBS100は、スモールセルBSとのバックホールコネクションを確立し、リレーコネクションに関連するスモールセルBSとの後続の信号送受信をもたらすように、回路120により実行するマクロBSバックホール部122-3を含んでもよい。例えば、マクロBSバックホール部122-3は、スモールセルBS200-aとのバックホール接続10-aを設定してもよい。一実施例によれば、マクロBSバックホール部122-3は、スモールセルBS200-aとマクロBS100との間のコンテキスト情報を設定し、コンテキスト情報は、(i)セットアップベアラの通知、(ii)マクロ基地局により応対される移動局の通知、(iii)スモールセル基地局により応対される移動局の通知、(iv)スモールセル基地局により使用される時間、周波数又は電力のドメインのリソースの通知、或いは、(v)セットアップベアラとともに提供されるサービスの最低限又は平均の品質の通知を含む。
【００３６】
一実施例において、マクロBS100は、スモールセルBS200-aから(例えば、コネクション設定メッセージ70のような)通知を受信するために回路120により実行されるコネクション識別部122-4を含み、その通知は、モバイルデバイス300-aがスモールセルBS200-aとのコネクションを設定したこと、或いは、そのようなコネクションの設定を開始したことを示す。通知を受信したことに応じて、マクロBSページャ122-1は、エンハンストページングメッセージ20を送信することを停止してもよい。一実施例において、コネクション設定メッセージ70は、モバイルデバイス300-aに対応する通知を含んでよい。
【００３７】
図4を具体的に参照すると、スモールセルBS200-aは、1つ以上のコンポーネント222-aを実行するように構成される回路220-aを有するコンピュータ及び/又はファームウェア実装装置を含むように示されている。
【００３８】
一実施例によれば、スモールセルBS200-aは、マクロBSからスケジューリング情報を受信するように回路220-aにより実行されるビーコン送信スケジューラ222-1を含み、スケジューリング情報は、ビーコン信号を送信するためのタイミングの通知を含む。例えば、ビーコン送信スケジューラ222-1は、(例えば、エンハンストページングメッセージ20のような)エンハンストページングメッセージ又は(例えば、コンフィギュレーション情報60のような)コンフィギュレーション情報の双方又は一方からスケジューリング情報の通知を受信してもよい。
【００３９】
一実施例によれば、スモールセルBS200-aは、受信したスケジューリング情報に少なくとも部分的に基づいて、ビーコンを送信するように回路220-aにより実行されるビーコン送信部222-2を含む。例えば、ビーコン送信部222-2は、エンハンストページングメッセージ20又はコンフィギュレーション情報60に基づいてビーコン30-aを送信するためのタイミングでビーコン30-aを送信してよい。一実施例によれば、ビーコン送信部222-2は、選択された周波数でビーコン信号を送信してよい。選択された周波数は、一実施例では、エンハンストページングメッセージで指定されてもよい。
【００４０】
一実施例において、スモールセルBS200-aは、コネクションを設定するためにモバイルデバイスからリクエストを受信し、モバイルデバイスとのコネクションを設定するように、回路220-aにより実行されるモバイルデバイスコネクタを含む。例えば、モバイルデバイスコネクタ222-3は、モバイルデバイス300-aからコネクションリクエスト40-aを受信し、コネクションリクエスト40-aに基づいてモバイルデバイス300-aとのコネクションを設定してもよい。
【００４１】
一実施例によれば、スモールセルBS200-aは、マクロBSとのバックホールコネクションを設定し、モバイルデバイスとのコネクションに関連するマクロBSとの後続の信号送受信をもたらすように、回路220-aにより実行されるスモールセルバックホール部222-4を含む。例えば、スモールセルバックホール部222-4は、マクロBS100とのバックホールコネクション10-aを設定する。
【００４２】
一実施例において、スモールセルBS200-aは、受信したコネクションリクエストに少なくとも部分的に基づいて、モバイルデバイスとのリレーコネクションを設定するように、回路220-aにより実行されるリレーコネクタ222-5を含み、リレーコネクションは、スモールセルBSを介してモバイルデバイスをマクロBSに接続する。例えば、リレーコネクタ222-5は、コネクションリクエスト40-aに少なくとも部分的に基づいて、モバイルデバイス300-aとのリレーコネクション50-aを設定する。従って、(例えば、リレーコネクション50-a及びバックホールコネクション10-aを介する)リレーコネクションは、モバイルデバイス300-aとマクロBS100との間のコネクションを提供する。
【００４３】
図5を具体的に参照すると、モバイルデバイス300-aは、1つ以上のコンポーネント322-aを実行するように構成される回路320-aを有するコンピュータ及び/又はファームウェア実装装置を含むように示されている。
【００４４】
一実施例によれば、モバイルデバイス300-aは、エンハンストページングメッセージ20を受信するように回路320-aにより実行されるエンハンストページングメッセージ受信部322-aを含み、エンハンストページングメッセージは、エンハンストページングメッセージがスモールセル基地局を介して回答されてよい旨の通知を含む。例えば、エンハンストページングメッセージ322-1はエンハンストページングメッセージ20を受信する。
【００４５】
一実施例によれば、モバイルデバイス300-aは、ビーコン信号を受信するようにモバイルデバイス300-aを構成するために回路320-aにより実行可能なビーコン受信部322-2を含む。例えば、ビーコン受信部322-2は、ビーコン30-aを監視及び/又は受信するようにモバイルデバイス300-aを構成し、ビーコン30-aを監視及び/又は受信するタイミングは、エンハンストページングメッセージ20に少なくとも部分的に基づく。それとは異なり、ビーコン受信部322-2は、エンハンストページングメッセージ20のタイミングに少なくとも部分的に基づいて、ビーコン信号を受信するようにモバイルデバイス300-aを構成してもよい。一実施例では、エンハンストページングメッセージ20は、スモールセルBS200-aがビーコン30-aを送信するタイミングの通知を含み、ビーコン受信部322-2は、スモールセルBS200-aがビーコン30-aを送信するタイミングの通知に少なくとも部分的に基づいてビーコン30-aを受信するようにモバイルデバイス300-aを構成する。
【００４６】
一実施例において、モバイルデバイス300-aは、エンハンストページングメッセージ20の受信に応じてスモールセルBSとのコネクションを設定するように、回路320-aにより実行可能なスモールセルBSコネクタ322-3を含む。例えば、スモールセルBSコネクション322-3は、エンハンストページングメッセージの受信に基づいて、スモールセルBS200-aにコネクションリクエスト40-aを送信し、スモールセルBS200-aとのリレーコネクション50-aを設定する。一実施例において、コネクションリクエスト40-aはランダムアクセスチャネルで送信される。
【００４７】
図6、図7、図8、図9はそれぞれ論理フローの具体例400、500、600、700を示す。論理フローは、本願で説明される1つ上の論理部、特徴部又はデバイスにより実行可能な処理のうちの全部又は一部を表現する。一般に、論理フロー400は、マクロBS100の論理部及び/又は特徴部により実行される動作のうちの全部又は一部を表現する。一般に、論理フロー500は、スモールセルBS200-aの論理部及び/又は特徴部により実行される動作のうちの全部又は一部を表現する。一般に、論理フロー600及び/又は700は、モバイルデバイス300-aの論理部及び/又は特徴部により実行される動作のうちの全部又は一部を表現する。
【００４８】
具体的に図6に関し、マクロBSページャ122-1、スモールセルBSコンフィギュレータ122-2及び/又はマクロBSバックホール部122-3は、論理フロー400を実現する。
【００４９】
論理フロー400におけるブロック402では、HetNetのマクロBSはモバイルデバイスにエンハンストページングメッセージを送信し、エンハンストページングメッセージは、ページングメッセージがスモールセル基地局を介して回答されてよい旨の通知を含む。例えば、マクロBS100はエンハンストページングメッセージ20をモバイルデバイス300-aに送信してもよい。より具体的には、マクロBSページャ122-1はエンハンストページングメッセージ20を送信してよい。
【００５０】
ブロック404において、マクロBSは、スモールセルBSにコンフィギュレーション情報を送信し、コンフィギュレーション情報は、モバイルデバイスにビーコンを送信することをスモールセルBSに行わせ、スモールセル基地局とのリレーコネクションを設定し、ビーコンに少なくとも部分的に基づいてスモールセルBSを介してモバイルデバイスをマクロBSに接続する。例えば、マクロBS100はコンフィギュレーション情報60をスモールセルBS200-aに送信する。より具体的には、スモールセルBSコンフィギュレータ122-2は、コンフィギュレーション情報60をスモールセルBS200-aに送信する。一実施例において、コンフィギュレーション情報は、エンハンストページングメッセージで送信されてもよい。
【００５１】
ブロック406において、マクロBSは、スモールセルBSとのバックホールコネクションを設定し、リレーコネクションに関連するスモールセルBSとの以後の信号のやり取りをもたらす。例えば、マクロBS100は、スモールセルBS200-aとのバックホールコネクション10-aを設定し、リレーコネクション50-aに関連する以後の信号(又は信号の通知)のやり取りをもたらす。
【００５２】
具体的に図7に関し、ビーコン送信スケジューラ222-1、ビーコン送信部222-2、モバイルデバイスコネクタ222-3、スモールセルBSバックホール部222-4及び/又はリレーコネクタ222-5が、論理フロー500を実行してもよい。
【００５３】
論理フロー500のブロック502において、HetNetのスモールセルBSはマクロBSからスケジューリング情報を受信し、スケジューリング情報はビーコンの送信のためのタイミングの通知を含む。例えば、スモールセルBS200-aは、(例えば、エンハンストページングメッセージ20に基づいて、コンフィギュレーション情報60に基づいて、又は他の信号に基づいて)ビーコンを送信するためのタイミングの通知を含むスケジューリング情報を受信してもよい。より具体的には、ビーコン送信スケジューラ222-1は、エンハンストページングメッセージ20又はコンフィギュレーション情報60の双方又は一方からタイミング情報を受信してもよい。
【００５４】
ブロック504において、受信したスケジューリング情報に少なくとも部分的に基づいてビーコンを送信してもよい。例えば、スモールセルBS200-aはビーコン30-aを送信してもよい。より具体的には、ビーコン送信部222-2はビーコン30-aを送信する。
【００５５】
ブロック506において、スモールセルBSは、コネクションを設定するためにモバイルデバイスからリクエストを受信する。例えば、スモールセルBS200-aは、モバイルデバイス300-aからコネクションリクエスト40-aを受信する。より具体的には、モバイルデバイスコネクタ222-3はコネクションリクエスト40-aを受信する。
【００５６】
ブロック508において、スモールセルBSは、モバイルデバイスとのコネクションを設定する。例えば、スモールセルBS200-aは、モバイルデバイス300-aとのコネクションを設定する。
【００５７】
ブロック510において、スモールセルBSは、マクロBSとのバックホールコネクションを設定し、モバイルデバイスとのコネクションに関するマクロBSとの信号の以後の送受信をもたらす。例えば、スモールセルBSはマクロBS100とのバックホールコネクション10-aを設定する。より具体的には、スモールセルBSバックホール部222-4は、バックホールコネクション10-aを設定する。
【００５８】
ブロック512において、スモールセルBSは、受信したコネクションリクエストに少なくとも部分的に基づいてモバイルデバイスとのリレーコネクション50を設定し、リレーコネクションはスモールセル基地局を介してモバイルデバイスをマクロBSに接続する。例えば、スモールセルBS200-aはモバイルデバイス300-aとのリレーコネクション50-aを設定してもよい。より具体的には、リレーコネクション222-5は、リレーコネクション50-aを設定する。
【００５９】
具体的に図8に関し、エンハンストページングメッセージ受信部322-1、ビーコン受信部322-2及び/又はスモールセルBSコネクタ322-3は、論理フロー600を実現する。
【００６０】
論理フロー600のブロック602において、HetNetのモバイルデバイスはエンハンストページングメッセージを受信し、エンハンストページングメッセージは、エンハンストページングメッセージがスモールセルBSを介して回答されてよい旨の通知を含む。例えば、モバイルデバイス300-aは、エンハンストページングメッセージ20を受信する。より具体的には、エンハンストページングメッセージ受信部322-1は、エンハンストページングメッセージ20を受信する。
【００６１】
ブロック604において、モバイルデバイスはビーコンを受信するように構成される。例えば、モバイルデバイス300-aは、エンハンストページングメッセージ20に基づいてビーコンを受信するためのタイミングでビーコンを受信するように構成される。より具体的には、ビーコン受信部322-2は、ビーコン30-aを受信するようにモバイルデバイス300-aを構成する。
【００６２】
ブロック606において、モバイルデバイスは、エンハンストページングメッセージの受信に応じて、スモールセルBSとのコネクションを設定する。例えば、モバイルデバイス300-aは、スモールセルBSにコネクションリクエストを送信し、スモールセルBSとともにリレーコネクションを設定する。より具体的には、スモールセルBSコネクタ323-3は、スモールセルBS200-aにコネクションリクエストを送信し、スモールセルBS200-aとのリレーコネクション50-aを設定する。
【００６３】
具体的に図9に関し、エンハンストページングメッセージ322-1、ビーコン受信部322-2及び/又はスモールセルBSコネクタ322-3は、論理フロー700を実現する。
【００６４】
論理フロー700のブロック702において、HetNetのモバイルデバイスはページングメッセージを受信する。例えば、モバイルデバイス300-aはエンハンストページングメッセージ20を受信する。より具体的には、エンハンストページングメッセージ受信部322-1は、エンハンストページングメッセージ20を受信する。
【００６５】
ブロック704において、エンハンストページングメッセージはスモールセルBSを介して回答されてよい旨の通知を含むか否かが、検出される。
【００６６】
ブロック704において、エンハンストページングメッセージはスモールセルBSを介して回答されてよい旨の通知を、受信したエンハンストページングメッセージは含んでいることが検出された場合、論理フローはブロック706に続く。そうでない場合、論理フローはブロック710に続く。
【００６７】
ブロック706において、モバイルデバイスはビーコンを受信するように構成される。例えば、モバイルデバイス300-aは、エンハンストページングメッセージ20に基づいてビーコンを受信するためのタイミングでビーコンを受信するように構成される。より具体的には、ビーコン受信部322-2は、ビーコン30-aを受信するようにモバイルデバイス300-aを設定する。
【００６８】
ブロック708において、モバイルデバイスは、エンハンストページングメッセージに応じて、スモールセルBSとのコネクションを設定する。例えば、モバイルデバイス300-aは、スモールセルBSにコネクションリクエストを送信し、スモールセルBSとのリレーコネクションを設定する。より具体的には、スモールセルBSコネクタ322-3は、スモールセルBS200-aにコネクションリクエスト40-aを送信し、スモールセルBS200-aとのリレーコネクション50-aを設定する。
【００６９】
ブロック710において、モバイルデバイスは、エンハンストページングメッセージの受信に応じて、マクロBSとのコネクションを設定する。例えば、モバイルデバイス300-aは、マクロBSへコネクションリクエストを送信し、マクロBSとのコネクションを設定する。
【００７０】
図10はストレージ媒体800の一形態を示す。ストレージ媒体800は製造業者の製品を含む。一実施例において、ストレージ媒体は、光学的、磁気的又は半導体的なストレージのような任意の非一時的なコンピュータ読み取り可能な媒体又はマシン読み取り可能な媒体を含んでよい。ストレージ媒体800は、様々なタイプのコンピュータ事項可能な命令を保存してよい。例えば、ストレージ媒体800は、論理フロー400を実現する様々なタイプのコンピュータ読み取り可能な命令を保存してよい。一実施例において、ストレージ媒体800は、論理フロー500を実現する様々なタイプのコンピュータ実行可能な命令を保存してよい。一実施例において、ストレージ媒体800は、論理フロー600を実現する様々なタイプのコンピュータ実行可能な命令を保存してよい。一実施例において、ストレージ媒体800は、論理フロー700を実現する様々なタイプのコンピュータ実行可能な命令を保存してよい。
【００７１】
コンピュータ読み取り可能な又はマシン読み取り可能なストレージ媒体の具体例は、電子データを保存することが可能な任意の有形媒体を含んでよく、例えば、揮発性メモリ又は不揮発性メモリ、取り外し可能な又は取り外し可能でないメモリ、消去可能又は消去可能でないメモリ、書き込み可能又は再書き込み可能なメモリ等を含む。コンピュータ実行可能な命令の具体例は適切な任意のタイプのコードを含んでよく、コードは、例えば、ソースコード、コンパイルされたコード、解釈されたコード、実行可能なコード、静的なコード、動的なコード、オブジェクト指向コード、視覚的なコード等であってもよい。具体例はこれらに限定されない。
【００７２】
図11はデバイス2000の実施形態を示す。一実施例において、デバイス2000は、図1に示されるHetNet1000のようなHetNetにおけるマルチRAT通信のために構成又は配置されてもよい。一実施例において、マクロBS100はデバイス2000において実現されてよい。例えば、デバイス2000は装置100のようなマクロBSを実現してもよい。一実施例によれば、スモールセルBS200-aはデバイス2000において実現されてよい。例えば、デバイス2000は装置200-aのようなスモールセルBSを実現してもよい。一実施例において、モバイルデバイス300-aはデバイス2000において実現されてもよい。例えば、デバイス2000は装置300-aのようなモバイルデバイスを実現してもよい。更に、デバイス2000はストレージデバイス800及び/又は論理回路400/500/600/700を実現してもよい。論理回路は、装置100、200-a、300-a、ストレージ媒体800、論理フロー400、論理フロー500、論理フロー600、及び/又は、論理フロー700に関して説明した動作を実行する物理回路を含んでよい。図11に示されるように、デバイス2000は、無線インターフェース2110、ベースバンド回路2120、コンピューティングプラットフォーム2130を含むが、具体例はこの構成に限定されない。
【００７３】
デバイス2000は、例えば単独のデバイスの中で完全にコンピューティングエンティティの中で、装置100/200-a/d300-a、ストレージ媒体700及び/又は論理回路400/500/600に関する構造及び/又は動作の全部又は一部を実現してもよい。実施例はこの例に限定されない。
【００７４】
無線インターフェース2110は、シングルキャリア又はマルチキャリア変調信号を送信及び/又は受信するように構成されたコンポーネント又はコンポーネントの組み合わせを含み、その信号は、例えば、相補的なコードキーイング(CCK)及び/又は直交周波数分割多重(OFDM)シンボル及び/又はシングルキャリア周波数分割多重(SC-FDMシンボル)によるものを含むが、実施形態は何らかの特定のオーバーザエアインターフェース或いは変調方式に限定されない。無線インターフェース2110は、例えば、受信部2112、送信部2116、及び/又は、周波数シンセサイザ2114を含んでよい。無線インターフェース2110は、バイアス制御部、水晶発振部、及び、アンテナ2118-1ないし2118-fを含んでよい。別の実施形態では、無線インターフェース2110は、外的な電圧制御発振器(VCO)、表面弾性波フィルタ、中間周波数(IF)フィルタ、及び/又は、RFフィルタ等を必要に応じて利用してよい。可能性のある様々なRFインターフェース設計に起因する広範囲に及ぶ説明は省略される。
【００７５】
ベースバンド回路2120は、信号を受信及び/又は送信することを処理する無線インターフェース2110と通信し、例えば、受信信号をダウンコンバートするアナログディジタル変換器2122、送信用に信号をアップコンバートするディジタルアナログ変換器2124を含んでよい。更に、ベースバンド回路2120は、個々の受信/送信信号のPHYリンクレイヤ処理のためのベースバンド又は物理レイヤ(PHY)処理回路2126を含む。ベースバンド回路2120は、例えば、媒体アクセス制御(MAC)/データリンク処理のための処理回路2128を含む。ベースバンド回路2120は、MAC処理回路2128、及び/又は、例えば1つ以上のインターフェース2134を介してコンピューティングプラットフォーム2130と通信するメモリコントローラ2132を含む。
【００７６】
一実施形態において、PHY処理回路2126は、例えばバッファメモリのような追加的な回路との組み合わせにより、(例えば、サブフレームを含む)通信フレームを構築及び/又は分解するフレーム構成及び/又は検出モジュールを含む。代替的又は追加的に、MAC処理回路2128は、これらの機能の内のあるものについての処理を共有し、或いは、PHY処理回路2126によらずこれらの処理を実行する。一実施形態において、MAC及びPHY処理は、単独の回路に統合されてもよい。
【００７７】
コンピューティングプラットフォーム2130は、デバイス2000の演算機能を提供する。図示されるように、コンピューティングプラットフォーム2130は、処理コンポーネント2140を含む。追加的又は代替的に、デバイス2000おｎベースバンド回路2120は、処理コンポーネント2130を利用して、装置100/200-a/300-a、ストレージ媒体800及び論理回路400/500/600/700のための処理の動作又は論理を実行する。処理コンポーネント2140(及び/又はPHY2126及び/又はMAC2128)は、様々なハードウェア要素、ソフトウェア要素又はそれらの組み合わせを含んでよい。ハードウェア要素の具体例は、デバイス、論理デバイス、コンポーネント、プロセッサ、マイクロプロセッサ、回路、プロセッサ回路、回路要素(例えば、トランジスタ、レジスタ、キャパシタ、インダクタ等)、集積回路、特定用途向け集積回路(ASIC)、プログラム可能な論理デバイス(PLD)、ディジタル信号プロセッサ(DSP)、フィールドプログラマブル論理デバイス(PLD)、ディジタル信号プロセッサ(DSP)、フィールドプログラマブルゲートアレイ(FPGA)、メモリユニット、論理ゲート、レジスタ、半導体デバイス、チップ、マイクロチップ、チップセット等を含んでよい。ソフトウェアエレメントの具体例は、ソフトウェアコンポーネント、プログラム、アプリケーション、コンピュータプログラム、アプリケーションプログラム、システムプログラム、ソフトウェア開発プログラム、マシンプログラム、オペレーティングシステムソフトウェア、ミドルウェア、ファームウェア、ソフトウェアモジュール、ルーチン、サブルーチン、ファンクション、メソッド、プロシジャ、ソフトウェアインターフェース、アプリケーションプログラムインターフェース(API)、命令セット、コンピューティングコード、コンピュータコード、コードセグメント、コンピュータコードセグメント、ワード、値、シンボル、又は、それらの任意の組み合わせを含んでもよい。実施例がハードウェア要素及び/又はソフトウェア要素を利用して実現されるか否かの判断は、任意の数の要因に従って所与の実施例に対して適宜行われてもよく、そのような要因は、例えば、所望の演算速度、電力レベル、熱耐性、処理サイクルバジェット、入力データレート、出力データレート、メモリリソース、データバス速度及びその他の設計又はパフォーマンス制約などである。
【００７８】
コンピューティングプラットフォーム2130は、他のプラットフォームコンポーネント2150を更に含んでよい。他のプラットフォームコンポーネント2150は共通するコンピューティング要素を含み、コンピューティング要素は、例えば、1つ以上のプロセッサ、マルチコアプロセッサ、コプロセッサ、メモリユニット、チップセット、コントローラ、ペリフェラル、インターフェース、発振器、タイミングデバイス、ビデオカード、オーディオカード、マルチメディア入力/出力(I/O)コンポーネント(例えば、ディジタルディスプレイ)、電力供給部などであってもよい。メモリユニットの具体例は、限定ではないが、1つ以上の高速メモリユニットの形式でコンピュータ読み取り可能な及びマシン読み取り可能なストレージ媒体のうちの様々なタイプのものを含んでよく、例えば、リードオンリメモリ(ROM)、ランダムアクセスメモリ(RAM)、ダイナミックRAM(DRAM)、ダブルデータレートメモリ(DDRAM)、同期DRAM(SDRAM)、スタティックRAM(SRAM)、プログラマブルROM(PROM)、消去可能なプログラマブルROM(EPROM)、電気的に消去可能なプログラマブルROM(EEPROM)、フラッシュメモリ、強誘電体ポリマメモリのようなポリマメモリ、オボニック(ovonic)メモリ、位相変化又は強誘電体メモリ、シリコン酸化物窒化物酸化物シリコン(SONOS)メモリ、磁気的又は光学的カード、独立ディスクの冗長アレイ(RAID)ドライブのようなデバイスのアレイ、ソリッドステートメモリデバイス(例えば、USBメモリ)、ソリッドステートドライブ(SSD)、及び、情報を保存するのに適した他の任意のタイプのストレージ媒体を含んでよい。
【００７９】
コンピューティングプラットフォーム2130は、ネットワークインターフェース2126を更に含んでよい。一実施例において、ネットワークインターフェース2160は、1つ以上のワイヤレスブロードバンド技術に従って動作するネットワークインターフェースをサポートする論理部及び/又は特徴部を含んでよく、そのような技術は、IEEE802.11uのようなIEEE802.11、或いは、WFAホットスポット2.0のような技術仕様に関する1つ以上の標準規格に記載されているようなものであってよい。
【００８０】
デバイス2000は、MIMOシステムのソースノード又は宛先ノードの一部分であってもよく、様々なタイプのコンピューティングデバイスに含まれてよく、コンピューティングデバイスは、例えば、ユーザ装置、コンピュータ、パーソナルコンピュータ(PC)、デスクトップコンピュータ、ラップトップコンピュータ、ノートブックコンピュータ、ネットブックコンピュータ、タブレットコンピュータ、ウルトラブックコンピュータ、スマートフォン、内蔵エレクトロニクス、ゲームコンソール、サーバー、サーバーアレイ又はサーバーファーム、ウェブサーバー、ネットワークサーバー、インターネットサーバー、ワークステーション、ミニコンピュータ、ミニフレームコンピュータ、スーパーコンピュータ、ネットワーク機器、ウェブ機器、分散されるコンピューティングシステム、マルチプロセッサシステム、プロセッサベースシステム、又は、それらの組み合わせであってもよいが、これらに限定されない。従って、本願で説明されるデバイス2000の機能及び/又は特定の構成は、必要に応じて適宜、デバイス2000の様々な実施形態に包含され又は省略されてよい。一実施形態において、デバイス2000は、MIMOシステムに関する3GPP規格又は仕様及び/又はIEEE802.11規格又は仕様に関連するプロトコル及び周波数に対応可能であるように構成される。
【００８１】
デバイス2000のコンポーネント及び特徴部は、個別回路、特定用途向け集積回路(ASIC)、論理ゲート、及び/又は、シングルチップアーキテクチャを利用して実現されてよい。更に、デバイス2000の特徴は、マイクロコントローラ、プログラマブル論理アレイ及び/又はマイクロプロセッサ又はそれらの任意の組み合わせを利用して適宜実現されてもよい。ハードウェア、ファームウェア及び/又はソフトウェア要素は、集合的に又は個別的に「論理部」又は「回路」として本願で言及されてよいことに留意を要する。
【００８２】
図11のブロック図に示される例示的なデバイス2000は、多くの潜在的な実現手段のうちの或る機能的な記述例であることが、理解されるべきである。従って、図示されている機能ブロックの分割、省略又は包含は、これらの機能を実現するためのハードウェアコンポーネント、回路、ソフトウェア及び/又は要素が、実施形態の中で、分割、省略又は包含されなければならないことを示唆するものではない。
【００８３】
幾つかの例は、「一実施例において」或いは「具体例」という表現(及びそれらの派生語)を用いて記述されている。これらの用語は、その例に関連して記述される特定の特徴、構造又は特定事項が、少なくとも1つの例に含まれることを意味する。明細書中の様々な箇所における「一実施例」という語句の出現は、必ずしも全てが同じ実施例を指すわけではない。
【００８４】
「結合される」、「接続される」又は「結合されることが可能である」等の用語及びそれらの派生語を用いて、幾つかの実施例は説明されてもよい。これらの用語は必ずしも互いに同義語として意図されてはいない。例えば、「接続される」及び/又は「結合される」という用語を用いる記述は、2つ以上の要素が互いに直接的な物理的又は電気的な接触をなすことを示してもよい。しかしながら、「結合される」という用語は、2つ以上の要素が互いに直接的に接触していないが、それでも互いに協働又は相互作用していることを意味してもよい。
【００８５】
説明される事項は、開示されるアーキテクチャの具体例を含む。当然に、コンポーネント及び/又は方法の考え得る全ての組み合わせを記述することは不可能であり、当業者は、多くの更なる組み合わせ及び置換が可能であることを認めるであろう。従って、新規なアーキテクチャは、添付のクレームの範囲及び精神に該当するそのような全ての代替、修正及び変形を包含するように意図される。発明の詳細な説明は、更なる実施形態に関する具体例を以下に列挙する。以下に与えられる具体例は、限定であるようには意図されていない。
【００８６】
具体例1：ヘテロジニアスネットワークにおけるマクロ基地局のための装置。装置は、回路；エンハンストページングメッセージを送信するように前記回路により実行されるマクロ基地局ページャであって、前記エンハンストページングメッセージは、前記エンハンストページングメッセージがスモールセル基地局を介して回答されてよい旨の通知を含む、マクロ基地局ページャ；前記スモールセル基地局にコンフィギュレーション情報を送信するように前記回路により実行されるスモールセル基地局コンフィギュレータであって、前記コンフィギュレーション情報は、モバイルデバイスとのリレーコネクションを設定するためにビーコンを送信することを、前記スモールセル基地局に行わせる、スモールセル基地局コンフィギュレータ；及び、前記リレーコネクションに関するスモールセル基地局と信号を通信するために前記スモールセル基地局とのバックホールコネクションを設定するように前記回路により実行されるマクロ基地局バックホール部；を有する装置である。
【００８７】
具体例2：具体例1に記載の装置であり、前記エンハンストページングメッセージは前記モバイルデバイス宛であり、前記装置は、前記エンハンストページングメッセージに対する前記モバイルデバイスの応答を、前記スモールセル基地局から受信するように、前記回路により実行されるページング応答受信部を更に有する。
【００８８】
具体例3：具体例2に記載の装置であり、前記モバイルデバイスが前記スモールセル基地局とのコネクションを設定した旨の通知を前記スモールセル基地局から受信するように前記回路により実行されるコネクション識別部を更に有し、前記マクロ基地局ページャは、前記モバイルデバイスが前記スモールセル基地局とのコネクションを設定した旨の受信した通知に少なくとも部分的に基づいて、前記エンハンストページングメッセージの送信を停止する。
【００８９】
具体例4：具体例3に記載の装置であり、前記の受信した通知は、前記モバイルデバイスに対応する身元(識別子)を含む。
【００９０】
具体例5：具体例3又は4に記載の装置であり、前記モバイルデバイス及び前記スモールセル基地局の間のコネクションは、ミリ波コネクションである。
【００９１】
具体例6：具体例1に記載の装置であり、前記エンハンストページングメッセージは前記スモールセル基地局宛であり、前記エンハンストページングメッセージは、前記スモールセル基地局が、前記エンハンストページングメッセージに少なくとも部分的に基づいて、ビーコンを送信するための送信時間で前記ビーコンを送信すべきである旨の通知を含む。
【００９２】
具体例7：具体例1ないし6のうちの何れか1つに記載の装置であり、前記マクロ基地局バックホール部は、前記スモールセル基地局と前記マクロ基地局との間のコンテキスト情報を設定し、前記コンテキスト情報は、(i)セットアップベアラの通知、(ii)マクロ基地局により応対される移動局の通知、(iii)スモールセル基地局により応対される移動局の通知、(iv)スモールセル基地局により使用される時間、周波数又は電力のドメインのリソースの通知、或いは、(v)セットアップベアラとともに提供されるサービスの最低限又は平均の品質の通知より成る群から選択される1つ以上の通知を含む。
【００９３】
具体例8：具体例1ないし7のうちの何れか1つに記載の装置であり、エンハンストページングメッセージは、(a)前記マクロ基地局が、前記スモールセルを介するレスポンスに対処するために、より長い応答時間を受け入れる旨の通知；(b)スモールセル基地局が、ビーコンをブロードキャストし、モバイルデバイスとのコネクションの設定をサポートする旨の通知；(c)モバイルデバイスからの信号が検出される周波数バンドの通知；或いは、(d)ビーコン信号が送信される周波数バンドの通知；のうちの少なくとも1つを含む。
【００９４】
具体例9：具体例1ないし7のうちの何れか1つに記載の装置であり、アンテナを更に有し、前記スモールセル基地局コンフィギュレータは、前記アンテナにおいて、前記アンテナを利用して前記スモールセル基地局に前記コンフィギュレーション情報を送信するように動作する。
【００９５】
具体例10：具体例1ないし7のうちの何れか1つに記載の装置であり、アンテナを更に有し、前記マクロ基地局バックホール部は、前記アンテナにおいて、前記アンテナを利用して前記スモールセル基地局とのバックホールコネクションを設定するように動作する。
【００９６】
具体例11：具体例9ないし10のうちの何れか1つに記載の装置であり、前記アンテナはミリ波周波数バンドで信号を送受信する。
【００９７】
具体例12：具体例1ないし7のうちの何れか1つに記載の装置であり、前記マクロ基地局は、ハードワイヤリンクを利用して前記スモールセル基地局に通信可能に結合され、前記スモールセル基地局コンフィギュレータは、前記ハードワイヤリンクにおいて、前記ハードワイヤリンクを利用して前記スモールセル基地局に前記コンフィギュレーション情報を送信するように動作する。
【００９８】
具体例13：ヘテロジニアスネットワークにおけるスモールセル基地局のための装置。本装置は、回路；マクロ基地局からスケジューリング情報を受信するために前記回路により実行されるビーコン送信スケジューラであって、前記スケジューリング情報は、ビーコン信号を送信するためのタイミングの通知を含む、ビーコン送信スケジューラ；受信した前記スケジューリング情報に少なくとも部分的に基づいて前記ビーコン信号を送信するために前記回路により実行されるビーコン送信部；コネクションを設定するためのリクエストを前記モバイルデバイスから受信し、前記モバイルデバイスとの前記コネクションを設定するために、前記回路により実行されるモバイルデバイスコネクタ；前記モバイルデバイスとの前記コネクションに関連する前記マクロ基地局と信号を通信するために前記マクロ基地局とのバックホールコネクションを設定するように、前記回路により実行されるスモールセルバックホール部；及び、受信したコネクションリクエストに少なくとも部分的に基づいて前記モバイルデバイスとのリレーコネクションを設定するように前記回路により実行される無線リレーコネクタであって、前記リレーコネクションは前記スモールセル基地局を介して前記マクロ基地局に前記モバイルデバイスを接続する、無線リレーコネクタ；を有する装置である。
【００９９】
具体例14：具体例13に記載の装置であり、前記スケジューリング情報は、前記ビーコン信号の送信のためのスケジュールが、エンハンストページングメッセージの送信の時間に少なくとも部分的に基づくことの通知を含む。
【０１００】
具体例15：具体例13ないし14のうちの何れか1つに記載の装置であり、前記スケジューリング情報は、前記スモールセル基地局に対応する身元を含む。
【０１０１】
具体例16：具体例13ないし15のうちの何れか1つに記載の装置であり、前記ビーコン送信スケジューラは、前記マクロ基地局から送信されたエンハンストページングメッセージから、前記スケジューリング情報を導出する。
【０１０２】
具体例17：具体例16に記載の装置であり、前記エンハンストページングメッセージは前記モバイルデバイスに送信される。
【０１０３】
具体例18：具体例13ないし17のうちの何れか1つに記載の装置であり、前記ビーコン送信部は選択された周波数においてビーコン信号を送信する。
【０１０４】
具体例19：具体例18に記載の装置であり、前記選択された周波数は、前記エンハンストページングメッセージで指定される。
【０１０５】
具体例20：具体例13ないし19のうちの何れか1つに記載の装置であり、ミリ波ビームフォーミング装置を更に有し、前記モバイルデバイスコネクタは、前記ミリ波ビームフォーミングアンテナにおいて、ミリ波ビームフォーミングコネクションを利用して前記モバイルデバイスとのコネクションを設定するように動作する。
【０１０６】
具体例21：具体例13ないし20のうちの何れか1つに記載の装置であり、コネクションを設定するための前記モバイルデバイスからのリクエストは、ランダムアクセスチャネルで送信される。
【０１０７】
具体例22：具体例13ないし21のうちの何れか1つに記載の装置であり、コネクション設定リクエストが前記モバイルデバイスから受信された旨の通知を前記マクロ基地局へ送信するように、前記回路により実行されるモバイルデバイスコネクション報告部を更に有し、前記通知は、前記モバイルデバイスに対応する識別子を含む。
【０１０８】
具体例23：ヘテロジニアスネットワークにおけるモバイルデバイスのための装置。本装置は、回路；エンハンストページングメッセージを受信するように前記回路により実行可能なエンハンストページングメッセージ受信部であって、前記エンハンストページングメッセージは、前記エンハンストページングメッセージがスモールセル基地局を介して回答されてよい旨の通知を含む、エンハンストページングメッセージ受信部；ビーコン信号を受信するために前記モバイルデバイスを構成するように前記回路により実行可能なビーコン受信部；前記エンハンストページングメッセージの受信に応じて前記スモールセル基地局との接続を設定するように前記回路により実行可能なスモールセル基地局；を有する装置である。
【０１０９】
具体例24：具体例23に記載の装置であり、前記ビーコン受信部は、前記エンハンストページングメッセージのタイミングに少なくとも部分的に基づいて前記ビーコン信号を受信するように前記モバイルデバイスを構成する。
【０１１０】
具体例25：具体例23に記載の装置であり、前記エンハンストページングメッセージは、前記スモールセル基地局がビーコン信号を送信するタイミングの通知を含み、前記ビーコン信号を受信するように前記モバイルデバイスを構成する前記ビーコン受信部は、前記スモールセル基地局がビーコン信号を送信するタイミングの通知に少なくとも部分的に基づいている。
【０１１１】
具体例26：具体例23ないし25のうちの何れか1つに記載の装置であり、前記エンハンストページングメッセージは、前記ビーコン信号が送信される周波数の通知を含み、前記ビーコン受信部は、通知される周波数を利用して前記ビーコン信号を受信するように前記モバイルデバイスを構成する。
【０１１２】
具体例27：具体例23ないし26のうちの何れか1つに記載の装置であり、前記モバイルデバイスは第1のモバイルデバイスであり、前記エンハンストページングメッセージは、第2のモバイルデバイス及び前記スモールセル基地局の双方又は一方に宛てられている。
【０１１３】
具体例28：具体例23ないし27のうちの何れか1つに記載の装置であり、前記スモールセル基地局コネクタは、コネクションを設定するリクエストを前記スモールセル基地局に送信する。
【０１１４】
具体例29：具体例28に記載の装置であり、前記リクエストはランダムアクセスチャネルで送信される。
【０１１５】
具体例30：具体例23ないし29のうちの何れか1つに記載の装置であり、前記スモールセル基地局との前記コネクションは、ミリ波ビームフォーミングコネクションである。
【０１１６】
具体例31：具体例23ないし30のうちの何れか1つに記載の装置であり、リレーコネクションを利用して、前記エンハンストページングメッセージに対する応答を前記マクロ基地局に送信するように、前記回路により実行可能なエンハンストページングメッセージ応答部を更に有し、前記リレーコネクションは前記スモールセル基地局を介して前記マクロ基地局に前記モバイルデバイスを接続する。
【０１１７】
具体例32：ヘテロジニアスネットワークにおけるマクロ基地局により実行される方法。本方法は、エンハンストページングメッセージを送信するステップであって、前記エンハンストページングメッセージは、前記エンハンストページングメッセージがスモールセル基地局を介して回答されてよい旨の通知を含む、ステップ；前記スモールセル基地局にコンフィギュレーション情報を送信するステップであって、前記コンフィギュレーション情報は、モバイルデバイスとのリレーコネクションを設定するためにビーコンを送信することを、前記スモールセル基地局に行わせる、ステップ；及び、前記リレーコネクションに関するスモールセル基地局と信号を通信するために前記スモールセル基地局とのバックホールコネクションを設定するステップ；を有する方法である。
【０１１８】
具体例33：具体例32に記載の方法であり、前記エンハンストページングメッセージは前記モバイルデバイス宛であり、前記方法は、前記エンハンストページングメッセージに対する前記モバイルデバイスの応答を、前記スモールセル基地局から受信するステップを更に有する。
【０１１９】
具体例34：具体例32ないし33のうちの何れか1つに記載の方法であり、前記モバイルデバイスが前記スモールセル基地局とのコネクションを設定した旨の通知を前記スモールセル基地局から受信するステップと、前記モバイルデバイスが前記スモールセル基地局とのコネクションを設定した旨の受信した通知に少なくとも部分的に基づいて、前記エンハンストページングメッセージの送信を停止するステップを更に含む。
【０１２０】
具体例35：具体例34に記載の方法であり、前記の受信した通知は、前記モバイルデバイスに対応する身元(識別子)を含む。
【０１２１】
具体例36：具体例32ないし35のうちの何れか1つに記載の方法であり、前記モバイルデバイス及び前記スモールセル基地局の間のコネクションは、ミリ波コネクションである。
【０１２２】
具体例37：具体例32ないし36のうちの何れか1つに記載の方法であり、前記エンハンストページングメッセージは前記スモールセル基地局宛であり、前記エンハンストページングメッセージは、前記スモールセル基地局が、前記エンハンストページングメッセージに少なくとも部分的に基づいて、ビーコンを送信するための送信時間で前記ビーコンを送信すべきである旨の通知を含む。
【０１２３】
具体例38：具体例32ないし37のうちの何れか1つに記載の方法であり、エンハンストページングメッセージは、(a)前記マクロ基地局が、前記スモールセルを介するレスポンスに対処するために、より長い応答時間を受け入れる旨の通知；(b)スモールセル基地局が、ビーコンをブロードキャストし、モバイルデバイスとのコネクションの設定をサポートする旨の通知；(c)；モバイルデバイスからの信号が検出される周波数バンドの通知；或いは、(d)ビーコン信号が送信される周波数バンドの通知；のうちの少なくとも1つを含む。
【０１２４】
具体例39：具体例32ないし38のうちの何れか1つに記載の方法であり、前記コンフィギュレーション情報を送信は、アンテナを利用して前記スモールセル基地局に送信される。
【０１２５】
具体例40：具体例32ないし39のうちの何れか1つに記載の方法であり、前記スモールセル基地局との前記バックホールコネクションは、アンテナを利用して設定される。
【０１２６】
具体例41：具体例40に記載の方法であり、前記スモールセル基地局との前記バックホールコネクションは、ミリ波周波数バンドにおけるものである。
【０１２７】
具体例42：具体例32ないし39のうちの何れか1つに記載の方法であり、前記コンフィギュレーション情報は、ハードワイヤリンクを利用して前記スモールセル基地局に送信される。
【０１２８】
具体例43：ヘテロジニアスネットワークにおけるスモールセル基地局により実行される方法。本方法は、マクロ基地局からスケジューリング情報を受信するステップであって、前記スケジューリング情報は、ビーコン信号を送信するためのタイミングの通知を含む、ステップ；受信した前記スケジューリング情報に少なくとも部分的に基づいて前記ビーコン信号を送信するステップ；コネクションを設定するためのリクエストを前記モバイルデバイスから受信するステップ；前記モバイルデバイスとの前記コネクションを設定するステップ；前記モバイルデバイスとの前記コネクションに関連する前記マクロ基地局と信号を通信するために前記マクロ基地局とのバックホールコネクションを設定するステップ；及び、受信したコネクションリクエストに少なくとも部分的に基づいて前記モバイルデバイスとのリレーコネクションを設定するステップであって、前記リレーコネクションは前記スモールセル基地局を介して前記マクロ基地局に前記モバイルデバイスを接続する、ステップ；を有する。
【０１２９】
具体例44：具体例43に記載の方法であり、前記ビーコン信号の送信のためのスケジュールが、エンハンストページングメッセージの送信の時間に少なくとも部分的に基づく。
【０１３０】
具体例45：具体例43ないし44のうちの何れか1つに記載の方法であり、前記スケジューリング情報は、前記スモールセル基地局に対応する身元を含む。
【０１３１】
具体例46：具体例43ないし45のうちの何れか1つに記載の方法であり、前記マクロ基地局から送信されたエンハンストページングメッセージから、前記スケジューリング情報を導出するステップを更に有する。
【０１３２】
具体例47：具体例46に記載の方法であり、前記エンハンストページングメッセージは前記モバイルデバイスに送信される。
【０１３３】
具体例48：具体例43ないし47のうちの何れか1つに記載の方法であり、選択された周波数においてビーコン信号を送信するステップを更に有する。
【０１３４】
具体例49：具体例48に記載の方法であり、前記選択された周波数は、前記エンハンストページングメッセージで指定される。
【０１３５】
具体例50：具体例43ないし49のうち何れか1つに記載の方法であり、前記モバイルデバイスとのコネクションは、ミリ波ビームフォーミングアンテナを利用して設定される。
【０１３６】
具体例51：具体例43ないし50のうち何れか1つに記載の方法であり、コネクションを設定するための前記モバイルデバイスからのリクエストは、ランダムアクセスチャネルで送信される。
【０１３７】
具体例52：具体例43ないし51のうちの何れか1つに記載の方法であり、コネクション設定リクエストが前記モバイルデバイスから受信された旨の通知を前記マクロ基地局へ送信するステップを更に有し、前記通知は、前記モバイルデバイスに対応する識別子を含む。
【０１３８】
具体例53：ヘテロジニアスネットワークにおけるモバイルデバイスにおいて実行される方法。本方法は、エンハンストページングメッセージを受信するステップであって、前記エンハンストページングメッセージは、前記エンハンストページングメッセージがスモールセル基地局を介して回答されてよい旨の通知を含む、ステップ；ビーコン信号を受信するために前記モバイルデバイスを構成するステップ；前記エンハンストページングメッセージの受信に応じて前記スモールセル基地局との接続を設定するステップ；を含む。
【０１３９】
具体例54：具体例53に記載の方法であり、前記ビーコンを受信するように前記モバイルデバイスを構成することは、前記エンハンストページングメッセージのタイミングに少なくとも部分的に基づいている。
【０１４０】
具体例55：具体例53に記載の方法であり、前記エンハンストページングメッセージは、前記スモールセル基地局がビーコン信号を送信するタイミングの通知を含み、前記ビーコン信号を受信するように前記モバイルデバイスを構成することは、前記スモールセル基地局がビーコン信号を送信するタイミングの通知に少なくとも部分的に基づいている。
【０１４１】
具体例56：具体例53ないし55のうちの何れか1つに記載の方法であり、前記エンハンストページングメッセージは、前記ビーコン信号が送信される周波数の通知を含み、本方法は、通知される周波数を利用して前記ビーコン信号を受信するステップを更に有する。
【０１４２】
具体例57：具体例53ないし56のうちの何れか1つに記載の方法であり、前記モバイルデバイスは第1のモバイルデバイスであり、前記エンハンストページングメッセージは、第2のモバイルデバイス及び前記スモールセル基地局の双方又は一方に宛てられている。
【０１４３】
具体例58：具体例53ないし57のうちの何れか1つに記載の方法であり、コネクションを設定するリクエストを前記スモールセル基地局に送信するステップを更に含む。
【０１４４】
具体例59：具体例58に記載の方法であり、前記リクエストはランダムアクセスチャネルで送信される。
【０１４５】
具体例60：具体例53ないし59のうちの何れか1つに記載の方法であり、前記スモールセル基地局との前記コネクションは、ミリ波ビームフォーミングコネクションである。
【０１４６】
具体例61：具体例53ないし60のうちの何れか1つに記載の方法であり、リレーコネクションを利用して、前記エンハンストページングメッセージに対する応答を前記マクロ基地局に送信するステップを更に有し、前記リレーコネクションは前記スモールセル基地局を介して前記マクロ基地局に前記モバイルデバイスを接続する。
【０１４７】
具体例62：具体例32ないし61のうちの何れか1つに記載の方法を実行する手段を有する装置。
【０１４８】
具体例63：複数の命令を有する少なくとも1つのマシン読み取り可能な媒体であって、前記命令は、ヘテロジニアスネットワークにおけるマクロ基地局、スモールセル基地局又はモバイルデバイスで実行されることに応じて、具体例32ないし61のうちの何れか1つに記載の方法を実行することを、マクロ基地局、スモールセル基地局又はモバイルデバイスのうちの何れかに行わせる。
【図１】
0006342496.tif 000002
【図２】
0006342496.tif 000003
【図３】
0006342496.tif 000004
【図４】
0006342496.tif 000005
【図５】
0006342496.tif 000006
【図６】
0006342496.tif 000007
【図７】
0006342496.tif 000008
【図８】
0006342496.tif 000009
【図９】
0006342496.tif 000010
【図１０】
0006342496.tif 000011
【図１１】
0006342496.tif 000012